(57)【要約】  周波数依存の規定の移動で制御される少なくとも２つの部分（５、１１、１５）を有するシートベルト装置用のフォースリミッタ装置（４）であって、互いに対して移動する部分（５、１１、１５）は、互いに係合するギアリング（８、１０、１８、１９）を特徴とし、部分（５、１１、１５）の少なくとも１つが、ギアリング（８、１０、１８、１９）が交互に係合および係合解除する供給移動（Ｖ）に対して垂直な波状移動（Ｑ）をしながら、部分（５、１１、１５）の他方に対して供給移動（Ｖ）を実行するように、周波数依存の制御移動が起こることで、フォースリミッタが作動されたベルト引き出しが行われ、互いに対して部分（５、１１、１５）を移動させるために必要な力を、所定のベルト引き出し長の後に自動的に増大可能である手段が提供されるフォースリミッタ装置（４）。【選択図】図２
2015524768.tif 000002
【特許請求の範囲】
【請求項１】
周波数に依存して制御される少なくとも２つの部分（５、１１、１５）を有するシートベルト装置用のフォースリミッタ装置（４）であって、
相対的に移動する前記部分（５、１１、１５）は、互いに係合するギアリング（８、１０、１８、１９）を有し、
前記ギアリング（８、１０、１８、１９）が交互に係合および係合解除する供給移動（Ｖ）に対して垂直な波状移動（Ｑ）をしながら、前記部分（５、１１、１５）の少なくとも１つが、前記部分（５、１１、１５）の他方に対して前記供給移動（Ｖ）を実行するように、前記周波数依存の制御移動が起こることで、力制限された状態でベルトがき出され、
互いの方向に向かって前記部分（５、１１、１５）を移動させるために必要な力を、所定のベルト引き出し長の後に自動的に増大可能とする手段を備えたことを特徴とするフォースリミッタ装置（４）。
【請求項２】
前記手段は、移動中に互いに向かって移動する前記部分（５、１１、１５）への変化するばね力とともに作用する、開いた波形ばね座金（６）によって形成されることを特徴とする、請求項１に記載のフォースリミッタ装置（４）。
【請求項３】
互いに向かって移動する前記部分（５、１１、１５）の２つの部分に停止面（２２、２３）が設けられ、前記ばね座金（６）の移動中に、前記ばね座金（６）の開端部（１６、１７）が前記停止面（２２、２３）と接触状態になることを特徴とする、請求項２に記載のフォースリミッタ装置（４）。
【請求項４】
前記ばね座金（６）の前記開端部（１６、１７）は、前記部分（５、１１、１５）が互いに向かって移動する方向に傾斜され、互いに向かって移動する前記部分（５、１１、１５）は、前記停止面（２２、２３）が設けられるポケット（２０、２１）を有し、前記ばね座金（６）の前記開端部（１６、１７）は、所定のベルト引き出し長の後に前記ポケット（２０、２１）にある前記停止面（２２、２３）と自動的に接触状態になることを特徴とする、請求項３に記載のフォースリミッタ装置（４）。
【請求項５】
前記ばね座金（６）の一端部（２４）が、互いに向かって移動する前記部分（５、１１、１５）の運動方向に前記部分（５、１１、１５）の１つの部分に永久的に接続され、前記端部（２４）から螺旋形状を有することを特徴とする、請求項２に記載のフォースリミッタ装置（４）。
【請求項６】
前記ばね座金（６）が挿入可能な螺旋状ガイドトラック（１４）が設けられることを特徴とする、請求項５に記載のフォースリミッタ装置（４）。
【請求項７】
前記ガイドトラック（１４）は、溝によって形成されることを特徴とする、請求項６に記載のフォースリミッタ装置（４）。
【請求項８】
前記溝の深さは、前記ばね座金（６）の前記開端部の運動方向に沿って低減することを特徴とする、請求項７に記載のフォースリミッタ装置（４）。
【請求項９】
前記手段は、互いに対して移動する前記部分（５、１１、１５）の１つの部分に位置づけられたカム構造によって形成されることで、所定のベルト引き出し長の後に前記部分（５、１１、１５）を移動させるのに必要な力を変更可能であることを特徴とする、請求項１に記載のフォースリミッタ装置（４）。
【発明の詳細な説明】
【技術分野】
【０００１】
本発明は、請求項１に記載の前段部の特徴を備えたシートベルトシステムのフォースリミッタ装置に関する。
【背景技術】
【０００２】
例えば、特許文献１から、シートベルトリトラクタのフレームに配置され、振動運動するようにされた複数個の質量体を特徴とするシートベルトリトラクタ用の速度制御式フォースリミッタ装置が知られている。これらの質量体は、リトラクタフレームに回転可能に取り付けられ、フォースリミッタが作動されたシートベルトの引き出し中に、２つの歯によって、ベルトシャフトに接続されたギアリング内に交互に係合する。全体として、このシートベルトリトラクタは、リトラクタフレームに振動質量体が位置づけられているため、製造が複雑かつ高コストである。さらに、振動質量体により、このシートベルトリトラクタは、比較的広い設置空間を必要とする。
【０００３】
特許文献２に、同じ物理原理に基づいて動作する改良されたフォースリミッタ装置が記載されており、このフォースリミッタ装置において、２つの歯部分がフォースリミッタが作動された状態で互いに動かされることで、歯部分が交互に係合および係合解除する間に、歯部分の一方が波形供給運動を実行する。振動質量体は、この実施形態において、波形供給動作を実行する部分と置き換えられるため、本文献に記載されたフォースリミッタ装置は、設置空間が本質的に狭く、実質的に単純な設計のもので済む。一実施形態において、波形供給動作を実行する部分は、ベルトシャフトに摩擦ロック式に接続されうる歯付きディスクで実現される。歯付きディスクと、供給動作を実行する歯付きディスクに対抗する部分との間に、歯付きディスクに軸方向の圧縮力をかけるばね座金が設けられうることで、歯付きディスク上でのフォースリミッタ特性のフォースリミッタレベルが高くなる。
【０００４】
フォースリミッタ装置のフォースリミッタレベルは、前方変位中の乗員の運動エネルギーから自然に生じるもので、このエネルギーは軽減される必要がある。ここで、フォースリミッタ経路の基本特性は、歯付きディスクの歯数、歯の間隔、質量などの歯付きディスクのパラメータによって、およびばね座金のばね特性によって厳密に決定される。
【先行技術文献】
【特許文献】
【０００５】
【特許文献１】国際公開第２００６／１０８４５１号パンフレット
【特許文献２】独国特許出願公開第１０２００８０４９９３１．５号明細書
【発明の概要】
【発明が解決しようとする課題】
【０００６】
しかしながら、後部座席の乗員に対して力を抑制するための米国規定などの法規定があり、この法規定は、所定のシートベルト引き出し後、より高いフォースリミッタレベルへ抑制力の増大を義務付けるものである。このようなフォースリミッタ特性は、上述したフォースリミッタ装置のいずれによっても得られない。
【０００７】
本発明の目的は、漸進的にフォースリミッタを作動させる過程で抑制力をかけることができるとともに、単純な構成が可能な上記タイプのフォースリミッタ装置を作製することである。
【課題を解決するための手段】
【０００８】
上記目的を達成するために、本発明は、請求項１の特徴を備えたフォースリミッタ装置を提案する。本発明の他の好ましい実施形態は、従属請求項、図面および関連する記載に示されうる。
【０００９】
本発明の基本概念によれば、所定のベルト引き出し長の後に部分を互いに向かって移動させるのに必要な力を自動的に増大させる手段を使用することが提案される。提案された解決策の利点は、提案された解決策では、フォースリミッタ特性のフォースリミッタレベルが、所定のベルト引き出し長の後の動作のみで自動的に増大されるという点に見受けられる。フォースリミッタ装置のフォースリミッタレベルは、互いに対して移動可能な部分の力のみで変更されうるという利点が用いられる。なぜなら、これが、フォースリミッタ装置の基礎となるエネルギー散逸の決定パラメータの１つをなすためである。したがって、振動挙動およびフォースリミッタレベルを変更するために、部分自体を変更する必要はない。ここでは、所定のベルト引き出し長の後に力を自動的に変更できるため、外部制御が不要であることが特に重要である。
【００１０】
この手段は、開いた波形ばね座金によって形成されることがさらに提案される。開いたばね座金の使用が好適であるのは、互いに向かって移動する部分が、特に、移動中にばね力の変化の影響を受けやすいためである。これは、例えば、ばね座金を伸張させることで、ばね座金が異なるばね力をかけるように起こりうる。さらに、ばね座金は、移動中に進路を変化させるように変位可能であり、例えば、１つの大きな巻線から複数の螺旋巻線を有する進路に移行する。
【００１１】
互いに向かって移動する部分の２つの部分に停止面が設けられ、ばね座金の移動中に当接するように、ばね座金の開端部が停止面と接触状態になることがさらに提案される。停止面に開端部を当接させることで、変形挙動、ひいては、ばね力は、所定のベルト引き出し長の後に能動的に変更可能であり、停止面は、互いに向かって移動する部分と意図的に関連づけられることで、互いに向かう移動、ひいては、所定のベルト引き出し長の超過は、フォースリミッタレベルの変化の理由である。開端部が停止面と接触した後、ばね座金は、圧縮力をかけることで伸張されて、このばね座金の波形は意図的に強化され、またはばね座金は側部へ曲がる。互いに向かって移動する部分の間に作用するばね力およびフォースリミッタレベルは、強化された波形または側曲げによって自動的に増大される。
【００１２】
ばね座金の開端部は、部分が互いに向かって移動する方向に傾斜され、互いに向かって移動する部分は、停止面が設けられるポケットを有することがさらに提案される。提案された解決策の利点は、ばね座金の開端部が、形状およびばね特性により、所定のベルト引き出し長の後にポケット内に自動的に滑り込み、当接するための停止面と接触するという点に見受けられる。これにより、好適には、ポケットは、傾斜端部の形状と同一の形状を有するように構成されることで、開端部は、可能な限り円周領域と同じ大きさにわたって載置され、さらなる移動中に可能な限り良好に支持される。ポケットは、傾斜端部が傾斜端部の形状に対応するポケットに受け入れられうるように外向きの傾斜端部に対応する勾配のついた凹みとして構成され、ばね座金は、端部間の領域に段階的な過程を有し、互いに向かって移動する部分の両方にある可能な限り同じ大きさの領域の両側に載置される。
【００１３】
あるいは、ばね座金の一端部が互いに向かって移動する部分の運動方向に沿って部分の１つにしっかりと接続され、一端部から螺旋状の進路を有することが推奨される。強固に保持された端部およびばね座金の螺旋状の進路によって、ばね座金は、互いに載置される複数の巻線内に移動しながら巻き付けられえ、例えば、波形の強化または巻線の側部隆起によって、側部にかかるばね力は増大される。
【００１４】
さらに、ばね座金を挿入可能な螺旋状ガイドトラックを設けることが推奨される。別の好ましい実施形態において、前記ガイドトラックは、溝によって形成される。螺旋状ガイドトラックによって、ばね座金が搬送されるばね座金の進路は、実際には、予め設定されている。これにより、フォースリミッタレベルが非常に高いレベルまで増大されて望ましくない状態を生じさせる制御されない移動が、ばね座金の締め付けによって妨げられる。この目的のために、ばね座金が特に良好かつ連続的に案内されうるため、特に、溝が適切である。
【００１５】
これにより、２つの部分の間にばね座金によってかけられる圧縮力、ひいては、フォースリミッタレベルが、増大するベルト引き出し長とともに増大されうるように、溝の深さは、開端部の移動方向に沿って低減することを特徴としうる。
【００１６】
あるいは、この手段は、互いに向かって移動する部分の１つに位置づけられたカム構造によって形成されることで、所定のベルト引き出し長の後に部分が互いに向かって移動するのに必要な力を変更可能であることが提案される。接触領域は、互いに向かって移動する部分にあるカム構造によって意図的に作り出され、所定のベルト引き出し長の後に部分を互いに接触した状態にすることで、運動挙動、特に、振動挙動および関連するフォースリミッタレベルが変更される。
【００１７】
以下、添付の図面を参照しながら、好ましい実施形態を用いて本発明を説明する。
【図面の簡単な説明】
【００１８】
【図１】本発明のフォースリミッタ装置を備えたベルトリトラクタを示す。
【図２】フォースリミッタ装置の作動の前後の切欠きフォースリミッタ装置を備えたベルトシャフトの斜視図である。
【図３】切欠きフォースリミッタ装置の側面図である。
【図４】振動ディスクおよび渦巻きばね座金を有する保持ディスクを示す。
【発明を実施するための形態】
【００１９】
図１は、ベルトシャフト２がリトラクタフレーム３に取り付けられ、リトラクタフレーム３に、本発明による構成を備えたフォースリミッタ装置４が位置づけられた、シートベルトシステムのベルトリトラクタ１を示す。また、ロックラチェット９の保持体であるプロファイルヘッド１３が設けられ、ロックラチェット９は、所定のベルト引き出し加速または所定の車両減速を超えると作動し、リトラクタフレーム３のギアリングにおいて、プロファイルヘッド１３を車両にしっかりと固定する。
【００２０】
フォースリミッタ装置４は、２つの固定部分５、１５と、これらの固定部分５、１５の間に位置する可動部分１１とを備えた基本構造を有する。固定部分１５は、フォースリミッタ装置４のハウジングを同時に形成し、ベルトシャフト２に回転可能に固定して接続される。半径方向の外部において、固定部分１５は、軸方向に整列された複数のフィンガを有し、複数のフィンガの間で、固定部分５は、半径方向に突出するフィンガ２５と係合することで、固定部分１５、ひいては、ベルトシャフト２と回転可能に固定して接続される。可動部分１１は、半径方向内向きのギアリング２６とともに環状ギア７に軸方向に変位可能に案内され、環状ギア７と回転可能に固定して円周方向に同時に接続される。次に、環状ギア７は、プロファイルヘッド１３に回転可能に固定して接続されるため、阻止されたプロファイルヘッド１３を有する可動部分１１は、円周方向にも同様に阻止されるものと見なされる。図３から分かるように、固定部分５、１５には、環状の軸方向に整列されたギアリング１０、８がそれぞれ設けられる。固定部分５のギアリング１０および固定部分１５のギアリング８はそれぞれ、可動部分１１に位置づけられたリング状の軸方向に整列されたギアリング１８または１９の反対側になるように位置づけられる。可動部分１１と固定部分５、１５との間の軸方向の間隔は、いずれの場合も、反対のギアリング１０、１９および／または１８、８の少なくとも一対が係合されるように選択される。
【００２１】
ベルトシャフト２の阻止装置が作動すると、ロックラチェット９は伸張され、プロファイルヘッド１３、ひいては、可動部分１１をベルト引き出し方向において阻止する。フォースリミッタ装置４は、事故に遭遇したさい、フォースリミッタ装置４自体の設計によって予め設定されたベルト引き出し力を超過した場合に乗員が前方へ変位している間に作用するベルト引き出し力によって作動される。このプロセスにおいて、固定部分１５、５は、部分１１に対して回転移動状態にされる。ギアリング１０、１９および１８、８が互いに対になって係合するため、可動部分１１は、互いを過ぎて滑る歯面によって、固定部分１５、５の供給移動に対して垂直方向に向いた振動移動にされ、その間、周期的に制動され加速される。この振動移動は、フォースリミッタ装置４の基礎となるエネルギー散逸の物理的原因であり、このエネルギー散逸は、フォースリミッタレベルを決定する。可動部分１１はまた、この運動が由来となって振動ディスクと呼ばれ、この振動運動によって、ベルト引き出し方向における固定部分５、１５の供給移動、ひいては、ベルトシャフト２のフォースリミッタが作動した回転運動が確保される。
【００２２】
可動部分１１と固定部分５との間には、固定部分５に支持され、可動部分１１を固定部分１５に対して押圧する開いた波形ばね座金６が設けられる。可動部分１１は、上述した振動運動を実行するために、ばね座金６によってかけられる軸方向のばね力を周期的に解消する必要があるため、フォースリミッタ装置４のフォースリミッタレベルは、開始段階において、ばね座金６のばね力によるさらなるベルト引き出し移動中に決定される。例えば、開始段階におけるベルト引き出し力は、３〜４ｋＮでありうる。
【００２３】
図２の左手側の図は、切欠きフォースリミッタ装置４を備えたベルトシャフト２を示す。ばね座金６は開いており、互いに自由端部１６、１７を有する。自由端部１６、１７は、側部に傾斜されることで、固定部分５、１１の間にさらなる軸方向の力をかける。図３に見られるように、自由端部１６、１７の後方の回転方向において、可動部分１１および固定部分５に、勾配のある凹みの形態のポケット２０、２１が設けられる。フォースリミッタ装置４が作動すると、固定部分１５、５は、ベルトシャフト２とともに、円周方向において阻止される可動部分１１に対して、およびプロファイルヘッド１３に対して回転する。フォースリミッタレベルは、この段階において、システムの質量設計およびばね座金６のばね力によって決定される。ばね座金６は、固定部分１５、５の回転運動中、静止している。
【００２４】
固定部分１５、５を有するベルトシャフト２が、可動部分１１に対して、ひいては、ばね座金６に対してほぼ１回転（この場合の回転は３４０度）回転した後、自由端部１７は、外向きの湾曲部によりポケット２０内に自動的に滑り込むことで、ポケット２０内の停止面２２に前面が当接する。固定部分５が回転し続けている間、ばね座金６は、停止面２２を介して携行されるため、自由端部１６は、可動部分１１に対して回転運動を完了する。この運動中、開始段階のフォースリミッタレベルは作用し続ける。また、図２および図３の右手側の図から分かるように、自由端部１６は、ほぼ一回転（この場合も３４０度回転）した後、外向きの湾曲部によりポケット２１内に滑り込むことで、部分１１の前停止面２３に当接する。この位置で、ばね座金６は、固定部分５および可動部分１１の両方に対して円周方向に固定されるため、ばね座金６が変形しない限り、固定部分５は可動部分１１に対して回転運動できず、ひいては、ベルトシャフト２はプロファイルヘッド１３に対して回転運動できない。これにより、ばね座金６は上昇し、可動部分１１に軸方向の圧縮力を増大させることで、フォースリミッタレベルが急増し、この場合、６ｋＮを超える。このように、フォースリミッタ装置４を用いる本発明では、自由端部１６、１７に対してポケット２０、２１の位置によって規定される移行点と、結果的に回転する範囲となる回転角度とで、漸進的にフォースリミッタをかける動作が実行されうる。また、この実施形態における移行点は、６８０度、すなわち、約１．９回転に相当する。機械特性、ばね座金の形状および配置に応じて、フォースリミッタの力の増大およびフォースリミッタの力の増大範囲の両方の特性を調整することができる。したがって、フォースリミッタレベルの連続的増大および急峻な増大の両方が可能である。
【００２５】
図４には、別の実施形態が示されており、同図において、開いたばね座金６が可動部分１１の一端部２４に懸架され、さらなる過程において、固定部分５の溝形状の螺旋状ガイドトラック１４において案内されるため、２つの固定部分５、１１が互いに向かって相対移動している間、ばね座金６は溝内に押し込められる。この工程において、ばね座金６は、溝内への挿入および複数の巻線内への巻き付けにより補強されることで、可動部分１１にかかる圧縮力は増大される。さらに、さらなる挿入を阻止して、ばね座金６の横向きの曲げにより上向きの移動を生じさせる端部ストッパが設けられうる。圧縮力およびフォースリミッタレベルは、ばね座金の形状および機械的特性に応じて、両方の影響によって、連続的または急峻に増大される。
【００２６】
さらに、この手段は、部分５、１１または１５の１つの部分のカム構造によって実現されえ、このカム構造は、部分５、１１および１５が互いに対してある角度の位置から始まり、それぞれ反対の部分５、１１または１５の係合面と接触状態になり、結果的に、振動挙動を変化させる。
【図１】
2015524768.tif 000003
【図２】
2015524768.tif 000004
【図３】
2015524768.tif 000005
【図４】
2015524768.tif 000006
【国際調査報告】
2015524768.tif 000007
2015524768.tif 000008
2015524768.tif 000009
2015524768.tif 000010
2015524768.tif 000011
2015524768.tif 000012